(57)【要約】【課題】用紙の切断を繰り返しても、防滴シートに亀裂が生じないようにして、排紙口への塵埃や水滴の侵入を確実に阻止する。【解決手段】用紙切断防塵防滴装置３０は、記録用紙Ｓが排出される排紙口８を開閉可能に塞ぐ可撓性を備えた防滴シート１２と、この防滴シートよりも排紙口８の内側に位置して先端に引き当てられた記録用紙を受け止めて切断するペーパカッタ１１と、排紙口８の外側に位置して、排紙口８から排出されてペーパカッタ１１の先端を支点にしてペーパカッタ１１側に倒された記録用紙を受け止める受け止め部材と、を備え、排紙口８の外側と受け止め部材と倒された記録用紙とによって形成される空間Ｈは、倒された記録用紙によってペーパカッタ１１側に倒されたリブ９ｃの部分を排紙口８の外側から離間した状態で収納する広さを有している。【選択図】      図６
2004243599.tif 000002
【特許請求の範囲】
【請求項１】
用紙が排出される用紙排出口を開閉可能に塞ぐ可撓性を備えた塵埃水滴侵入阻止部材と、
前記塵埃水滴侵入阻止部材よりも前記用紙排出口の内側に位置して先端に引き当てられた前記用紙を受け止めて切断する用紙切断部材と、
前記用紙排出口の外側に位置して、前記用紙排出口から排出されて前記用紙切断部材の先端を支点にして前記用紙切断部材側に倒された用紙を受け止める受け止め部材と、を備え、
前記用紙排出口の外側と前記受け止め部材と前記倒された用紙とによって形成される空間は、前記倒された前記用紙によって前記用紙切断部材側に倒された塵埃水滴侵入阻止部材の部分を前記用紙排出口の外側から離間した状態で収納する広さを有していることを特徴とする用紙切断防塵防滴装置。
【請求項２】
前記塵埃水滴侵入阻止部材は、可撓性を備えたシート状の部材であり、前記用紙排出口の外側と前記倒された用紙との間隔を前記シート状の部材の厚みよりも広くし、かつ前記シート状の部材の先端と前記受け止め部材との間に隙間を設けたことを特徴とする請求項１に記載の用紙切断防塵防滴装置。
【請求項３】
受け止め部材は、前記用紙排出口に沿って形成された突条片であることを特徴とする請求項１又は２に記載の用紙切断防塵防滴装置。
【請求項４】
用紙を搬送する用紙搬送手段と、
前記用紙搬送手段によって搬送される前記用紙が排出される請求項１乃至２のいずれか１項に記載の用紙切断防塵防滴装置と、
を備えたことを特徴とする用紙搬送排出装置。
【発明の詳細な説明】
【０００１】
【発明の属する技術分野】
本発明は、例えば、屋外で使用される携帯型電子機器の用紙排出口から排出される用紙が操作者によって切断されるようになっているとともに、用紙排出口からの塵埃及び水滴の侵入を阻止した用紙切断防塵防滴装置、特に、塵埃の侵入を長期間阻止することができるとともに、用紙排出口に水滴が侵入しないようにした用紙切断防塵防滴装置と、この用紙切断防塵防滴装置を備えた用紙搬送排出装置とに関する。
【０００２】
【従来の技術】
図８は、従来の携帯型電子機器１００の外観斜視図である。図９は、図８に示す携帯型電子機器において、ユーザによって挿入される用紙を受け入れて排出する用紙搬送排出装置と、この用紙搬送排出装置に組み込まれている用紙切断防塵防滴装置との部分を示す断面図である。
【０００３】
以下、用紙搬送排出装置の一例であるダイレクトサーマルラインプリンタ装置（以下、単に「プリンタ装置」と言う）１２０を説明する。
【０００４】
図９において、プリンタ装置１２０は、用紙には感熱記録紙が用いられて、この感熱記録紙に画像を記録するようになっている。プリンタ装置１２０は、操作者によって給紙口２から挿入された記録用紙Ｓを、操作者が図８に示す紙送りノブ１５を図９の用紙搬送方向（矢印Ｆ方向）に回転することによって回転する主動搬送ローラであるプラテンローラ５と従動搬送ローラであるピンチローラ６とで挟持した後、プラテンローラ５の自らの回転によって、図中の矢印Ｆ方向に搬送し、サーマルヘッド７を通過させて、排紙口８からプリンタ装置１２０の外部へ排出するようになっている。
【０００５】
このプリンタ装置１２０の印字方式は、携帯型電子機器１００内の不図示の制御部からの印字命令に応じて、不図示の駆動モータおよびギアシステムを介してプラテンローラ５が回転して矢印Ｆ方向に搬送する記録用紙Ｓに、サーマルヘッド７から記録用紙Ｓ上の感熱層に熱を加えて記録用紙Ｓに文字や画像を形成する方式を採用している。
【０００６】
用紙搬送排出装置であるプリンタ装置１２０の排紙口８には、ペーパカッタ１１、防滴シート１０１等で構成された用紙切断防塵防滴装置１３０を設けてある。
【０００７】
排紙口８にはペーパカッタ１１を設けてある。ペーパカッタ１１は、ステンレス材等の金属板をプレス加工によってやや屈曲した形状に形成してある。また、ペーパカッタ１１の刃先１１ａは、鋸型に形成してあり、記録用紙Ｓの紙質を問わず確実に記録用紙Ｓを切断することができるようになっている。
【０００８】
ペーパカッタ１１は、上面に防滴シート１０１を重ねて、防滴シート１０１とともにプリンタカバー１４に設けてある。防滴シート１０１は、シリコンゴムシート等の良好な可撓性を有する材料を打ち抜き加工によって打ち抜かれて製作されている。
【０００９】
印字前などの通常状態において、防滴シート１０１の先端部１０１ａは、排紙口８の通紙ガイド斜面部８ａに当接して排紙口８を閉塞している。このため、防滴シート１０１は、携帯型電子機器１００を屋外等で使用するときに、水滴や塵埃がプリンタ装置１２０内に侵入するのを阻止している。
【００１０】
一方、印字動作や用紙送り動作による記録用紙Ｓの排出時における防滴シート１０１の先端部１０１ａは、防滴シート１０１自身が可撓性を備えているため、図１０に示すように、記録用紙の先端Ｓａに押されて、排紙方向に押し上げられ、排紙口８に記録用紙Ｓが通過できる隙間Ｇを生じさせる。この隙間によって、記録用紙Ｓが排出できるようになる。
【００１１】
次に、印字後の記録用紙Ｓを切断するときの動作を説明する。排紙口８から出た記録用紙Ｓの一部分は、図１１に示すように、操作者が記録用紙Ｓを手前側（図１１の左側）に引っ張って、ペーパカッタ１１の刃先１１ａに当接させると、刃先１１ａによって切断されるようになっている。このとき、可撓性を有する防滴シート１０１は、図１１に示すように、記録用紙Ｓに押されて、プリンタカバー１４の外面１４ｃに沿って撓むようになっている。
【００１２】
記録用紙Ｓが切断された後、防滴シート１０１は、自らの弾性によって、図９に示す位置に戻り、先端部１０１ａが排紙口８の通紙ガイド斜面部８ａに当接するので、排紙口８を閉塞して、排紙口１８に塵埃や水滴が侵入しないようにする。
【００１３】
【発明が解決しようとする課題】
しかし、従来の用紙搬送排出装置における、用紙切断防塵防滴装置１３０は、次のような問題点があった。
【００１４】
記録用紙Ｓの切断時に、記録用紙Ｓを図１１に示すように手前側（図１１の左側）に倒し過ぎると、防滴シート１０１の一部分１０１ｃが、記録用紙Ｓとプリンタカバー１４の先端部１４ｂとに挟まれることがある。
【００１５】
記録用紙が切断される度に、防滴シート１０１の一部分１０１ｃが、記録用紙Ｓとプリンタカバー１４の先端部１４ｂとに挟まれると、その挟まれる部分１０１ｃに亀裂が生じて、防滴シート１０１が、塵埃や水滴の侵入を確実に阻止することができなくなるおそれがある。
【００１６】
また、防滴シートに亀裂が生じると、排紙口８から排出される記録用紙が汚れたり、排紙口８に詰まったり、あるいは記録用紙に傷が付いたりするおそれがある。
【００１７】
この問題に対処する構成として、図１２に示すように、プリンタカバー１４の先端部１４ｂをペーパカッタ１１の刃先１１ａから遠ざけて、記録用紙Ｓを手前側に倒したとき、防滴シート１０１が記録用紙Ｓとプリンタカバー１４の先端部１４ｂとに挟まれないようにして、防滴シート１０１に亀裂が発生しないようにすることが考えられる。
【００１８】
しかし、このような構造は、排紙口８の開口寸法Ｅが長くなって、防滴シート１０１が塵埃や水滴の侵入を確実に阻止することができなくなる。また、ペーパカッタ１１の刃先１１ａが大きく露出して、排紙口８を指等で触れたとき、防滴シート１０１の刃先１１ａによって、指等が怪我をする危険性がある。
【００１９】
本発明は、用紙の切断を繰り返しても、塵埃侵入阻止部材に亀裂が生じないようにして、用紙排出口への塵埃や水滴の侵入を確実に阻止した用紙切断防塵防滴装置を提供することを目的としている。
【００２０】
本発明は、上記用紙切断防塵防滴装置を備えて、用紙が汚れたり、排出口に詰まったり、あるいは用紙に傷が付いたりしないようにした用紙搬送排出装置を提供することを目的としている。
【００２１】
【課題を解決するための手段】
上記の目的を達成するため、用紙切断防塵防滴装置は、用紙が排出される用紙排出口を開閉可能に塞ぐ可撓性を備えた塵埃侵入阻止部材と、前記塵埃侵入阻止部材よりも前記用紙排出口の内側に位置して先端に引き当てられた前記用紙を受け止めて切断する用紙切断部材と、前記用紙排出口の外側に位置して、前記用紙排出口から排出されて前記用紙切断部材の先端を支点にして前記用紙切断部材側に倒された用紙を受け止める受け止め部材と、を備え、前記用紙排出口の外側と前記受け止め部材と前記倒された用紙とによって形成される空間は、前記倒された前記用紙によって前記用紙切断部材側に倒された塵埃侵入防止部材の部分を前記用紙排出口の外側から離間した状態で収納する広さを有している。
【００２２】
本発明の用紙切断防塵防滴装置における、前記塵埃侵入阻止部材は、可撓性を備えたシート状の部材であり、前記用紙排出口の外側と前記倒された用紙との間隔を前記シート状の部材の厚みよりも広くし、かつ前記シート状の部材の先端と前記受け止め部材との間に隙間を設けてある。
【００２３】
本発明の用紙切断防塵防滴装置における、受け止め部材は、前記用紙排出口に沿って形成された突条片である。
【００２４】
上記目的を達成するため、本発明の用紙搬送排出装置は、用紙を搬送する用紙搬送手段と、前記用紙搬送手段によって搬送される前記用紙が排出される上記いずれか１つの用紙切断防塵防滴装置と、を備えている。
【００２５】
【発明の実施の形態】
以下、本発明の実施形態の用紙切断防塵防滴装置とこの用紙切断防塵防滴装置を備えた用紙搬送排出装置との一例である携帯型電子機器のプリンタ装置を図面に基づいて説明する。
【００２６】
なお、本発明の実施形態の用紙切断防塵防滴装置は、携帯型電子機器のみに設けられるのではなく、家庭用のファクシミリ等にも設けられるようになっている。また、本発明の実施形態の用紙搬送排出装置は、感熱紙に熱を加えて感熱紙に画像を形成するプリンタ装置を例に挙げて説明するが、普通紙にインクで画像を形成するインクジェットプリンタ装置、あるいは、普通紙にトナーで画像を形成する像担持体を備えた複写機であってもよく、感熱紙に画像を形成するプリンタ装置のみに限定されるものではない。このため、用紙は、感熱紙に限定されるものではなく、インクで画像を形成されることのできるシート、トナーで画像を形成されることのできるシート等も含むものである。
【００２７】
図１は、本発明の実施形態の用紙切断防塵防滴装置を有する用紙搬送排出装置の一例であるプリンタ装置を備えた携帯型電子機器の外観斜視図である。図２は、図１に示す携帯型電子機器のプリンタ装置の断面図である。
【００２８】
図２において、用紙搬送排出装置である例えばダイレクトサーマルラインプリンタ装置（以下、単に「プリンタ装置」という）２０は、用紙切断防塵防滴装置３０を排紙口８に備えている。
【００２９】
図２において、携帯型電子機器１０におけるプリンタ装置２０は、用紙には感熱記録紙が用いられて、この感熱記録紙に画像を記録するようになっている。プリンタ装置１２０は、操作者によって給紙口２から挿入された記録用紙Ｓを、操作者が図１に示す紙送りノブ１５を図２の用紙搬送方向（矢印Ｆ方向）に回転することによって回転する主動搬送ローラであるプラテンローラ５と従動搬送ローラであるピンチローラ６とで挟持した後、用紙搬送手段である例えばプラテンローラ５の自らの回転によって、図中の矢印Ｆ方向に搬送し、サーマルヘッド７を通過させて、排紙口８からプリンタ装置２０の外部へ排出するようになっている。
【００３０】
このプリンタ装置２０の印字方式は、携帯型電子機器１０内の不図示の制御部からの印字命令に応じて不図示の駆動モータおよびギアシステムを介してプラテンローラ５が回転して矢印Ｆ方向に搬送する記録用紙Ｓに、サーマルヘッド７から記録用紙Ｓ上の感熱層に熱を加えて記録用紙Ｓに文字や画像を形成する方式を採用している。
【００３１】
用紙搬送排出装置であるプリンタ装置２０の用紙排出口である例えば排紙口８には、用紙切断部材である例えばペーパカッタ１１、塵埃侵入阻止部材である例えば防滴シート１２等で構成された用紙切断防塵防滴装置３０を設けてある。
【００３２】
排紙口８には、ペーパカッタ１１を設けてある。ペーパカッタ１１は、操作者によって刃先１１ａに引き当てられた、印字後の記録用紙Ｓを切断するようになっている。
【００３３】
ペーパカッタ１１は、長期間、切れ味を良くしておくため、ステンレス材等の金属製の板状部材である。ペーパカッタ１１は、プレス加工によってやや屈曲した形状に形成されている。また、ペーパカッタ１１の厚みは、約０．２ｍｍである。刃先１１ａは、鋸型に形成してある。これらの条件によって、ペーパカッタ１１は、記録用紙Ｓに対する切れ味がよくなっている。
【００３４】
ペーパカッタ１１は、上面に防滴シート１２を重ねて、防滴シート１２とともにプリンタカバー９に設けてある。防滴シート１２は、シリコンゴムシート等の良好な可撓性を有する材料を打ち抜き加工によって打ち抜かれて製作されている。防滴シート１２の厚みは、約０．２ｍｍである。防滴シート１２のゴム硬度は、約５０度である。
【００３５】
なお、防滴シート１２の材質、厚み、硬度は、プリンタ装置２０の用紙搬送力や、記録用紙Ｓの紙質、あるいはプラテンローラ５の表面摩擦係数などを考慮して変更する必要があり、上記の数値に限定されるものではない。
【００３６】
図３に基づいて、プリンタカバー９にペーパカッタ１１と防滴シート１２とを取り付ける手順を説明する。プリンタ装置２０の内蔵部全体を覆う着脱自在なプリンタカバー９には、７本の取り付けボス９ａを突設してある。プリンタカバー９を裏返しにして、上向きの状態にした取り付けボス９ａに、防滴シート１２の７箇所に形成した取り付け孔１２ｂを嵌め込んで、防滴シート１２をプリンタカバー９に重ねる。そして、取り付けボス９ａに、防滴シート１２の上から、ペーパカッタ１１の７箇所に形成した取り付け孔１１ｂを嵌め込んで、ペーパカッタ１１を防滴シート１２に重ねる。最後に、７本の取り付けボス９ａを加熱加圧して、プリンタカバー９に防滴シート１２とペーパカッタ１１とを重ねて固定することによって組み立てが完了する。
【００３７】
なお、防滴シート１２は、前述のように良好な可撓性を備えたシリコンゴムシート等の材料を使用して形成されているので、組み込み前の状態では図３に示すように平らになっているが、曲げ加工を施されたペーパカッタ１１とプリンタカバー９とに挟まれてプリンタカバー９と一体化されると、図２の断面図に示すように、ペーパカッタ１１の曲げ角度に沿って変形するようになっている。
【００３８】
印字前などの通常状態において、図２に示すように、防滴シート１２の先端部１２ａは、排紙口８の通紙ガイド斜面部８ａに当接して排紙口８を閉塞している。このため、防滴シート１２は、特に、携帯型電子機器１０を屋外等で使用するとき、水滴や塵埃がプリンタ装置２０内に侵入するのを阻止するようになっている。
【００３９】
一方、印字動作や用紙送り動作による記録用紙Ｓの排出時における防滴シート１２の先端部１２ａは、防滴シート１２自身が可撓性を備えているため、図４に示すように、記録用紙の先端Ｓａに押されて、排紙方向に押し上げられて、排紙口８に記録用紙Ｓが通過できる隙間Ｇを生じさせる。この隙間によって、記録用紙Ｓを排出できるようになる。
【００４０】
次に、印字後の記録用紙Ｓを切断するときの動作を説明する。排紙口８から出た記録用紙Ｓの部分は、図５、図６に示すように、操作者が記録用紙Ｓを手前側（図５では左側）に引っ張って、ペーパカッタ１１の刃先１１ａに当接させると、刃先１１ａによって切断させるようになっている。このとき、記録用紙Ｓを手前側に倒し過ぎた場合、記録用紙Ｓは、刃先１１ａを支点にして倒されて、プリンタカバー９のリブ９ｃに当接する。リブ９ｃは、受け止め部材の一例であり、突条片の一例でもある。
【００４１】
記録用紙Ｓをリブ９ｃに当接させたとき、記録用紙Ｓとプリンタカバー９の先端部９ｂとの隙間寸法Ａは、シート状の部材である例えば防滴シート１２の厚み寸法をＢとすると、
Ａ＞Ｂ
の関係になるように、リブ９ｃの高さ寸法Ｄを設定してある。
【００４２】
このため、記録用紙Ｓを手前側に倒しすぎた場合でも、記録用紙Ｓがリブ９ｃに当接するので、防滴シート１２が記録用紙Ｓとプリンタカバー９の先端部９ｂとの間に挟まれるようなことがない。従って、ペーパカッタ１１によって記録用紙の切断が行われる度に、防滴シート１２が記録用紙Ｓによって手前側に繰り返して倒されても、防滴シート１２には、亀裂が生じないようになっている。
【００４３】
また、図５に示すように記録用紙Ｓの切断時においては、防滴シート１２の先端部１２ａとリブ９ｃとの間の隙間Ｃが、
Ｃ＞０
の関係となるように、リブ９ｃをプリンタカバー９の外面９ｄに突設してある。
【００４４】
すなわち、図６に示すように、排紙口８の外側である例えばプリンタカバー９の外面９ｄとリブ９ｃと倒された記録用紙Ｓとによって形成される空間Ｈは、倒された記録用紙によってペーパカッタ１１側に倒された防滴シート１２の部分１２ｃをプリンタカバー９の外面９ｄから離間した状態で収納する広さを有している。
【００４５】
以上のように、リブ９ｃを設けると、記録用紙Ｓを手前側に倒しすぎた場合でも、防滴シート１２の先端部１２ａが、記録用紙Ｓとリブ９ｃとに挟まれることがないので、防滴シート１２の先端部１２ａは、破損することがない。このため、防滴シート１２は、記録用紙に傷を付けたり、記録用紙を汚したりするようなことがない。
【００４６】
記録紙を切断された後、防滴シート１２は、自らの弾性によって、図２に示す位置に戻り、先端部１２ａが排紙口８の通紙ガイド斜面部８ａに当接して、排紙口８を閉塞して、排紙口１８に塵埃や水滴が侵入しないようにする。
【００４７】
さらに、リブ９ｃは、図１に示すように、排紙口８に沿って形成してあるが、必ずしも排紙口８に沿って形成する必要がなく、一部分だけ形成してもよい。しかし、排紙口８に沿って形成したリブ９ｃは、携帯型電子機器１０の表面に雨滴Ｗが付着した状態で携帯型電子機器１０を傾けると、図７に示すように、携帯型電子機器１０の外面９ｄを転がり落ちる雨滴Ｗを受け止めて、排紙口８に雨滴Ｗが浸入するのを防止することができる。従って、本発明の用紙切断防塵防滴装置の本来の目的である防滴、防塵性能をさらに向上させることができる。
【００４８】
プリンタ装置２０は、防滴シート１２が記録用紙に傷を付けたり、記録用紙を汚したりするようなことのない用紙切断防塵防滴装置３０を備えているので、排紙口８から記録用紙を排出するとき、記録用紙を汚したり、記録用紙に傷を付けたりするようなことがなく記録用紙の品質を保つことができる。また、記録用紙が排紙口８に詰まるジャムの発生を防止することができて、記録用紙を長期間円滑に排出することができる。
【００４９】
【発明の効果】
本発明の用紙切断防塵防滴装置は、用紙排出口の外側と受け止め部材と倒された用紙とによって形成される空間を、倒された用紙によって用紙切断部材側に倒された塵埃水滴侵入阻止部材の部分を用紙排出口の外側から離間した状態で収納する広さにしたので、記録用紙の切断を繰り返しても、塵埃水滴侵入阻止部材が用紙排出口の外側と用紙との間に挟まれて亀裂が生じることがなくなり、用紙排出口への塵埃や水滴の侵入を確実に阻止することができる。
【００５０】
本発明の用紙搬送排出装置は、上記用紙切断防塵防滴装置を備えているので、用紙を汚したり、用紙に傷を付けたりするようなことがなく用紙の品質を保つことができる。また、用紙が用紙排出口に詰まるジャムの発生を防止することができて、用紙を長期間円滑に排出することができる。
【図面の簡単な説明】
【図１】本発明の実施形態の用紙切断防塵防滴装置を有する用紙搬送排出装置の一例であるプリンタ装置を備えた携帯型電子機器の外観斜視図である。
【図２】図１に示す携帯型電子機器のプリンタ装置の断面図である。
【図３】図１の携帯型電子機器において、プリンタカバーにペーパカッタと防滴シートとを組み立てる手順を説明するためのプリンタカバー、ペーパカッタ、防滴シートの斜視図である。
【図４】図１の携帯型電子機器のプリンタ装置において、記録用紙が排出されている状態を示す断面図である。
【図５】図１の携帯型電子機器のプリンタ装置において、記録用紙を切断するときの状態を示す断面図である。
【図６】図５において、記録用紙によって倒された防滴シート周辺の拡大図である。
【図７】図１の携帯型電子機器において、雨滴が転がり落ちる状態を示す断面図である。
【図８】従来の携帯型電子機器の外観斜視図である。
【図９】図８に示す従来の携帯型電子機器において、ユーザによって挿入される用紙を受け入れて排出する用紙搬送排出装置の一例であるプリンタ装置と、この用紙搬送排出装置に組み込まれている用紙切断防塵防滴装置との部分を示す断面図である。
【図１０】図８に示す従来の携帯型電子機器のプリンタ装置において、記録用紙が排出されている状態を示す断面図である。
【図１１】図８に示す従来の携帯型電子機器のプリンタ装置において、記録用紙を切断するときの状態を示す断面図である。
【図１２】図８に示す従来の携帯型電子機器のプリンタ装置において、カバーの先端部の突出長さを短くした場合の断面図である。
【符号の説明】
Ａ      隙間寸法
Ｂ      防滴シートの厚み寸法
Ｃ      防滴シートの先端部とリブとの間の隙間
Ｄ      リブの高さ寸法
Ｇ      隙間
Ｈ      空間
Ｓ      記録用紙
Ｗ      雨滴
５      プラテンローラ（用紙搬送手段）
７      サーマルヘッド
８      排紙口（用紙排出口）
８ａ    通紙ガイド斜面部
９      カバー
９ｂ    先端部
９ｃ    リブ（受け止め部材、突条片）
９ｄ    外面（用紙排出口の外側）
１０      携帯型電子機器
１１      ペーパカッタ（用紙切断部材）
１１ａ    ペーパカッタの刃先
１２      防滴シート（塵埃水滴侵入阻止部材）
１２ａ    先端部
１２ｃ    倒された防滴シートの部分
２０      ダイレクトサーマルプリンタ装置（用紙搬送排出装置）
３０      用紙切断防塵防滴装置
【図１】
2004243599.tif 000003
【図２】
2004243599.tif 000004
【図３】
2004243599.tif 000005
【図４】
2004243599.tif 000006
【図５】
2004243599.tif 000007
【図６】
2004243599.tif 000008
【図７】
2004243599.tif 000009
【図８】
2004243599.tif 000010
【図９】
2004243599.tif 000011
【図１０】
2004243599.tif 000012
【図１１】
2004243599.tif 000013
【図１２】
2004243599.tif 000014